(57)【要約】【課題】極めて容易な作業により両面印刷ユニットの開閉角度を大きくして、装置内部へのアクセスを容易とする画像形成装置を提供する。【解決手段】カラー複写機１は、その側面に設けられた両面印刷ユニット４５を保持し、装置本体１ａに対して開閉自在な側面カバー５０を有する。その開閉機構は、側面カバー５０を一定角度で回動させるための第１係止ピン６２ａ，６２ｂおよび第１穴部５２ａ，５２ｂと、側面カバー５０をより大きく開くための第２係止ピン５３ａ，５３ｂおよび第２穴部６３ａ，６３ｂを有し、第１係止ピン６２ａにネジ６６が螺合自在である。ネジ６６を第１係止ピン６２ａから外した状態で、側面カバー５０を第１係止ピン６２ａ，６２ｂに係止された状態から第２係止ピン５３ａ，５３ｂに係止された状態へと切り替え、側面カバー５０を装置本体１ａに対して大きく開き、装置本体１ａへの側面からのアクセスを容易とする。【選択図】図７
2007219420.tif 000002
【特許請求の範囲】
【請求項１】
印刷用紙を上昇搬送させながら画像形成を行う画像形成装置であって、
装置本体の側面に設けられ、片面に画像形成された印刷用紙を両面印刷のために降下搬送する両面印刷ユニットと、
前記両面印刷ユニットを保持する側面カバーと、
前記側面カバーを装置本体に対して回動開閉するため第１支点および第２支点を有するカバー開閉機構とを具備し、
前記側面カバーは、前記第１支点に支持されているときには所定の開閉角度で維持され、前記第２支点に回動支点をずらすことによって開閉角度が大きくなることを特徴とする画像形成装置。
【請求項２】
印刷用紙を上昇搬送させながら画像形成を行う画像形成装置であって、
装置本体の側面に設けられ，片面に画像形成された印刷用紙を両面印刷のために降下搬送する両面印刷ユニットと、
前記両面印刷ユニットを保持する側面カバーと、
前記側面カバーを装置本体に対して開閉する開閉機構とを具備し、
前記開閉機構は、
前記側面カバーを所定の開閉角度内で回動させるための一対の第１係止ピンおよび第１穴部と、
前記側面カバーを前記開閉角度よりも大きい角度で回動させるための第２係止ピンおよび第２穴部と、
前記第１係止ピンに着脱自在に設けられ、装着状態において前記側面カバーの脱離を防止する留め金と、
前記留め金を前記第１係止ピンから外し、前記側面カバーを前記第１係止ピンに係止された状態から前記第２係止ピンに係止された状態へと切り替えることによって、前記側面カバーを前記装置本体に対して大きく開き、該装置本体への側面からのアクセスを容易とすることを特徴とする画像形成装置。
【請求項３】
前記第１係止ピンが前記第１穴部に挿通された状態において、前記第２係止ピンを挿通させ、前記側面カバーの開閉動作の際に前記第２係止ピンの運動軌跡に沿って前記第２係止ピンを案内するための円弧状の形状を有する第３穴部をさらに有し、
前記第２係止ピンが前記第３穴部の端部に係止されることにより、前記側面カバーの前記第１ピン回りの回動角度が制限されていることを特徴とする請求項２に記載の画像形成装置。
【請求項４】
第１係止ピンは、同じ向きに先端が解放され、その軸方向が同一直線上にあるように装置本体に２本設けられ、かつ、前記第１穴部は前記側面カバーに設けられ、
前記第２係止ピンは前記側面カバーに設けられ、かつ、前記第２穴部および前記第３穴部は装置本体に設けられ、
前記側面カバーを前記第１係止ピンの軸方向にスライドさせることによって、前記第１係止ピンと前記第１穴部との係止および前記第２係止ピンと前記第３穴部との係止が同時に解かれ、前記第２係止ピンを前記第２穴部に挿通させて該第２穴部に係止させることにより、前記側面カバーを装置本体に対して大きく開かれることを特徴とする請求項３に記載の画像形成装置。
【請求項５】
印刷用紙を上昇搬送する上昇搬送路の一部を保持するとともに、装置本体に対して開閉自在な内部カバーをさらに具備し、
前記側面カバーを開いた状態において、前記内部カバーは該側面カバーの開閉角度に応じた角度で開閉自在であることを特徴とする請求項２から請求項４のいずれか１項に記載の画像形成装置。
【発明の詳細な説明】
【技術分野】
【０００１】
本発明は装置本体のメンテナンス作業性を向上させた画像形成装置に関する。
【背景技術】
【０００２】
レーザプリンタやデジタル複写機等の画像形成装置では、用紙の両面に印刷することができるように、片面に印刷された用紙を反転して再び転写装置へ搬送するための機構、所謂、両面印刷ユニット（ＡＤＵ）が設けられている。
【０００３】
一般的にこの両面印刷ユニットは、装置構成をコンパクトにするために、装置本体に設けられた用紙搬送路に隣接して設けられる。ここで、用紙搬送路において紙詰まり（ジャム）が発生したときに、この用紙を容易に取り除くことができるように、用紙搬送路を開放する必要がある。そのため、両面印刷ユニットは装置本体に対して開閉自在に設けられる（例えば、特許文献１〜３参照）。
【０００４】
従来の両面印刷ユニットの開閉角度は５０度程度となっている。この理由としては、開閉角度が大きい場合にはゆっくり開閉しないと両面印刷ユニットの回動部に大きな負荷が加わって破損するおそれがあること、またジャムが発生した場合にはオペレータが手を差し入れることができるだけの隙間が形成されればよいこと、開閉角度を大きくすると両面印刷ユニットを開くために広い設置スペースが必要となってしまうこと等が挙げられる。
【０００５】
しかしながら、このように両面印刷ユニットの開閉角度を制限してしまうと、装置本体のメンテナンス時等、装置本体の内部にアクセスしなければならない場合には、両面印刷ユニットを完全に装置本体から取り外さなければならず、この作業がメンテナンス作業者にとって大きな負担となっている。また、両面印刷ユニットと装置本体とは、用紙搬送のためのローラ等を駆動するための配線で繋がっているために、取り外した両面印刷ユニットの一時的な置き場所に困ったり、配線に負荷が掛かるという問題もある。
【特許文献１】特開２００５−１１５２１８号公報（図３，段落（００２２）等）。
【特許文献２】特開２００５−３１３５３号公報（図５、段落（００２０）〜（００２７）等）。
【特許文献３】特開２００１−２３３０号公報（図５、段落（００１８）等）。
【発明の開示】
【発明が解決しようとする課題】
【０００６】
本発明はかかる事情に鑑みてなされたものであり、極めて容易な作業により両面印刷ユニットの開閉角度を大きくして、装置内部へのアクセスを容易とする画像形成装置を提供することを目的とする。
【課題を解決するための手段】
【０００７】
本発明の請求項１によれば、印刷用紙を上昇搬送させながら画像形成を行う画像形成装置であって、装置本体の側面に設けられ、片面に画像形成された印刷用紙を両面印刷のために降下搬送する両面印刷ユニットと、前記両面印刷ユニットを保持する側面カバーと、前記側面カバーを装置本体に対して回動開閉するため第１支点および第２支点を有するカバー開閉機構とを具備し、前記側面カバーは、前記第１支点に支持されているときには所定の開閉角度で維持され、前記第２支点に回動支点をずらすことによって開閉角度が大きくなることを特徴とする画像形成装置が提供される。
【０００８】
本発明の請求項２によれば、印刷用紙を上昇搬送させながら画像形成を行う画像形成装置であって、装置本体の側面に設けられ，片面に画像形成された印刷用紙を両面印刷のために降下搬送する両面印刷ユニットと、前記両面印刷ユニットを保持する側面カバーと、前記側面カバーを装置本体に対して開閉する開閉機構とを具備し、前記開閉機構は、前記側面カバーを所定の開閉角度内で回動させるための一対の第１係止ピンおよび第１穴部と、前記側面カバーを前記開閉角度よりも大きい角度で回動させるための第２係止ピンおよび第２穴部と、前記第１係止ピンに着脱自在に設けられ、装着状態において前記側面カバーの脱離を防止する留め金と、前記留め金を前記第１係止ピンから外し、前記側面カバーを前記第１係止ピンに係止された状態から前記第２係止ピンに係止された状態へと切り替えることによって、前記側面カバーを前記装置本体に対して大きく開き、該装置本体への側面からのアクセスを容易とすることを特徴とする画像形成装置が提供される。
【０００９】
本発明の請求項３によれば、上記請求項２に係る画像形成装置において、前記第１係止ピンが前記第１穴部に挿通された状態において、前記第２係止ピンを挿通させ、前記側面カバーの開閉動作の際に前記第２係止ピンの運動軌跡に沿って前記第２係止ピンを案内するための円弧状の形状を有する第３穴部をさらに有し、前記第２係止ピンが前記第３穴部の端部に係止されることにより、前記側面カバーの前記第１ピン回りの回動角度が制限されている画像形成装置が提供される。
【００１０】
本発明の請求項４によれば、上記請求項３の画像形成装置において、第１係止ピンは、同じ向きに先端が解放され、その軸方向が同一直線上にあるように装置本体に２本設けられ、かつ、前記第１穴部は前記側面カバーに設けられ、前記第２係止ピンは前記側面カバーに設けられ、かつ、前記第２穴部および前記第３穴部は装置本体に設けられ、前記側面カバーを前記第１係止ピンの軸方向にスライドさせることによって、前記第１係止ピンと前記第１穴部との係止および前記第２係止ピンと前記第３穴部との係止が同時に解かれ、前記第２係止ピンを前記第２穴部に挿通させて該第２穴部に係止させることにより、前記側面カバーを装置本体に対して大きく開かれる画像形成装置が提供される。
【００１１】
本発明の請求項５によれば、上記請求項２〜４のいずれかの画像形成装置において、印刷用紙を上昇搬送する上昇搬送路の一部を保持するとともに、装置本体に対して開閉自在な内部カバーをさらに具備し、前記側面カバーを開いた状態において、前記内部カバーは該側面カバーの開閉角度に応じた角度で開閉自在である画像形成装置が提供される。
【発明の効果】
【００１２】
本発明によれば、両面印刷ユニットの開閉角度は、通常使用時はジャム処理等に必要な最低限の角度に抑えることができ、メンテナンス時には、作業者は極めて容易な作業によって側面カバーを装置本体に対して大きく開いて、装置本体へのアクセスできるようになるので、作業性が向上する。
【発明を実施するための最良の形態】
【００１３】
以下、本発明の実施の形態について図面を参照しながら詳細に説明する。ここでは、画像形成装置として４連タンデム方式のカラー複写機を例に挙げ、感光体ドラムに駆動伝達機構を適用した場合について説明することとする。
【００１４】
図１に４連タンデム方式のカラー複写機１の概略正面図を示し、図２にその概略構成図を示す。このカラー複写機１は、上方にスキャナ部２と、胴内排紙部３とを備えている。また、カラー複写機１は、中間転写媒体である中間転写ベルト１０と、中間転写ベルト１０を張架し、回転させるための駆動ローラ２２および従動ローラ２３，２４と、中間転写ベルト１０の下側に沿って並列配置される４組の画像形成部１１Ｙ，１１Ｍ，１１Ｃ，１１ＢＫを備えている。
【００１５】
中間転写ベルト１０には、耐熱性および耐磨耗性に優れた材料、例えば、半導電性ポリイミドが好適に用いられる。画像形成部１１Ｙ，１１Ｍ，１１Ｃ，１１ＢＫはそれぞれ、イエロー（Ｙ），マゼンタ（Ｍ），シアン（Ｃ），ブラック（ＢＫ）のトナー像を形成するためのものである。画像形成部１１Ｙ，１１Ｍ，１１Ｃ，１１ＢＫはそれぞれ像担持体である感光体ドラム１２Ｙ，１２Ｍ，１２Ｃ，１２ＢＫを有している。中間転写ベルト１０は、各画像形成部１１Ｃ〜１１ＢＫの上方において、感光体ドラム１２Ｙ〜１２ＢＫに接触している。
【００１６】
中間転写ベルト１０を挟んで感光体ドラム１２Ｙ，１２Ｍ，１２Ｃ，１２ＢＫと対向する位置（一次転写位置）には、１次転写ローラ２０Ｙ，２０Ｍ，２０Ｃ，２０ＢＫが設けられている。一次転写ローラ２０Ｙ〜２０ＢＫには＋１０００Ｖ程度の１次転写電圧が印加され、これにより感光体ドラム１２Ｙ〜１２ＢＫ上のトナー像が中間転写ベルト１０に一次転写される。
【００１７】
画像形成部１１Ｙ，１１Ｍ，１１Ｃ，１１ＢＫはそれぞれ、感光体ドラム１２Ｙ，１２Ｍ，１２Ｃ，１２ＢＫを個別に帯電させるための帯電チャージャ１３Ｙ，１３Ｍ，１３Ｃ，１３ＢＫと、感光体ドラム１２Ｙ，１２Ｍ，１２Ｃ，１２ＢＫ上に形成された潜像にトナーを付着させるための現像ユニット１８Ｙ，１８Ｍ，１８Ｃ，１８ＢＫと、感光体ドラム１２Ｙ，１２Ｍ，１２Ｃ，１２ＢＫをクリーニングするためのクリーニング装置２１Ｙ，２１Ｍ，２１Ｃ，２１ＢＫを備えている。
【００１８】
帯電チャージャ１３Ｙ〜１３ＢＫは、感光体ドラム１２Ｙ〜１２ＢＫ表面を、−７００Ｖ程度に一様に全面帯電させる。現像装置１８Ｙ〜１８ＢＫは、−５００Ｖ程度の現像バイアスが印加される現像ローラによりそれぞれイエロー（Ｙ）、マゼンタ（Ｍ）、シアン（Ｃ）、ブラック（ＢＫ）のトナーおよびキャリアからなる二成分現像剤を感光体ドラム１２Ｙ〜１２ＢＫに供給する。クリーニング装置２１Ｙ〜２１ＢＫは、クリーニングブレードにより感光体ドラム１２Ｙ〜１２ＢＫの表面の残留トナーを除去する。
【００１９】
画像形成部１１Ｙ〜１１ＢＫは、カラー複写機１の本体のフロント側（図面手前側）に引き出し可能となっている。そのため、感光体ドラム１２Ｙ〜ＢＫと現像装置１８ＢＫ〜１８Ｃの各駆動系は、カラー複写機１の本体のリア側に配置されている。
【００２０】
感光体ドラム１２Ｙ〜１２ＢＫはそれぞれ、回転方向である矢印ｔの向きに回転しながら、帯電チャージャ１３Ｙ〜１３ＢＫを通過して現像ユニット１８Ｙ，１８Ｍ，１８Ｃ，１８ＢＫに至る途中で、レーザ露光装置１６によって露光される。この露光のために、カラー複写機１は、スキャナ部２等からの画像データに基づいて、感光体ドラム１２Ｙ〜１２ＢＫ上に潜像を形成するためのレーザ露光装置１６を、画像形成部１１Ｙ〜１１ＢＫの下側に備えている。
【００２１】
レーザ露光装置１６は、半導体レーザ素子から出射されたレーザビームを、ポリゴンミラー１６ａにより感光体ドラム１２Ｙ〜１２ＢＫの軸線方向に走査し、結像レンズ系１６ｂ，各ミラー８１を経て感光体ドラム１２ＢＫ〜１２Ｃ上に結像させる。なお、レーザ露光装置１６の各色のレーザビーム８０ＢＫ〜８０Ｃの出射部にはカバーガラスが設けられる。
【００２２】
カラー複写機１では、中間転写ベルト１０を回転させるための駆動ローラ２２と対向するように、中間転写ベルト１０に一次転写されたトナー像を印刷用紙Ｐに転写（２次転写）するための２次転写ローラ２６が配置されている。２次転写ローラ２６には＋１０００Ｖ程度の２次転写電圧が印加され、これによって中間転写ベルト１０上のトナー像が印刷用紙Ｐに２次転写される。なお、中間転写ベルト１０の２次転写ローラ２６の下流には、ベルトクリーナ１０ａが設けられている。
【００２３】
レーザ露光装置１６の下方には、２次転写ローラ２６に向けて印刷用紙Ｐを供給するための第１，第２給紙カセット装置２７，２８が設けられている。第１，第２給紙カセット装置２７，２８から２次転写ローラ２６に至る間には、第１，第２給紙カセット装置２７，２８内の印刷用紙Ｐを取り出すピックアップローラ２７ａ，２８ａと、分離ローラ２７ｂ，２８ｂと、第１，第２搬送ローラ３１，３２と、レジストローラ３３ａ，３３ｂが設けられている。
【００２４】
なお、二次転写ローラ２６とレジストローラ３３ａは、装置本体１ａに対して所定角度開閉自在なカバー（図示せず））に保持されており、このカバーを開くことによって、縦搬送路３７を解放することができるようになっている。このカバーの開閉操作は、後に説明するように、側面カバー５０が装置本体１ａに対して開かれているときに、行うことができる。
【００２５】
カラー複写機１の図１右側には手差しにより印刷用紙Ｐを給紙するための手差しトレイ３０が設けられている。手差しトレイ３０からレジストローラ３３ａ，３３ｂに至る間には、印刷用紙Ｐを取り出すためのピックアップローラ３０ａと、手差し給紙ローラ３６が設けられている。
【００２６】
第１，第２給紙カセット２７，２８および手差しトレイ３０から給紙される印刷用紙Ｐを垂直方向に搬送する縦搬送路３７に沿って、２次転写ローラ２６の下流、つまり上側には、印刷用紙Ｐに転写されたトナー像を熱処理により印刷用紙Ｐに定着させるための定着装置３８が設けられている。
【００２７】
定着装置３８から排紙部３へは排紙搬送路４１が設けられており、この排紙搬送路４１の終端に排紙ローラ３ａが設けられている。カラー複写機１は、排紙部３の図右側に、印刷用紙Ｐに両面印刷を施すための反転エリア４０と、この反転エリア４０から印刷用紙Ｐをレジストローラ３３ａ，３３ｂへ戻すための両面印刷ユニット４５を備えている。この両面印刷ユニット４５は、側面カバー５０に保持されており、この側面カバー５０は装置本体１ａに対して、その下部が回動中心となり、その上部が開口するように、開閉自在となっている。
【００２８】
排紙ローラ３ａは、印刷用紙Ｐを排紙部３へ送り出す方向の回転（正回転）と、印刷用紙Ｐを両面印刷ユニット４５へ戻す方向の回転（逆回転）とを行うことができるようになっている。反転エリア４０はガイド４２を備えており、このガイド４２は、排紙ローラ３ａが印刷用紙Ｐを両面印刷ユニット４５へ戻す方向に回転する際に、印刷用紙Ｐをガイド４１の上側に乗せて、印刷用紙Ｐを確実に両面印刷ユニット４５へ送る。両面印刷ユニット４５は、印刷用紙Ｐを降下搬送するための反転搬送路４６と再搬送ローラ４７を備えている。
【００２９】
次に、側面カバー５０の開閉機構について説明する。図３に側面カバー５０とこれを支持するために装置本体に設けられる支持部の概略構造を示す。固定側板６１ａ，６１ｂは装置本体（図示せず）に固定されており、側面カバー５０は固定側板６１ａ，６１ｂと係止させるための可動側支持板５１ａ，５１ｂを備えている。なお、図３では可動側支持板５１ａ，５１ｂおよび固定側板６１ａ，６１ｂの形状を簡略化して示している。
【００３０】
図４に、側面カバー５０を装置本体に対して閉じられた状態（直姿勢保持状態）における固定側板６１ａと可動側支持板５１ａの状態を、図３に示す矢印Ａ１，Ａ２の各方向から見たときの平面図で示す。
【００３１】
可動側支持板５１ａ，５１ｂはそれぞれ、第１穴部５２ａ，５２ｂと、第２係止ピン５３ａ，５３ｂを備えている。これら２枚の可動側支持板５１ａ，５１ｂは同じ構造を有しており、第２係止ピン５３ａ，５３ｂはＹ軸と平行な同一直線上に位置し、第１穴部５２ａ，５２ｂについても同様である。
【００３２】
固定側板６１ａ，６１ｂはそれぞれ、第１係止ピン６２ａ，６２ｂと、第２穴部６３ａ，６３ｂと、第３穴部６４ａ，６４ｂを備えており、第１係止ピン６２ａにはネジ穴６５が形成されている。なお、第１係止ピン６２ｂにはネジ穴は設けられていない。この点を除いて、２枚の固定側板６１ａ，６１ｂは同じ構造を有しており、第１係止ピン６２ａ，６２ｂはＹ軸と平行な同一直線上に位置し、第２穴部６３ａ，６３ｂおよび第３穴部６４ａ，６４ｂについても同様である。
【００３３】
固定側板６１ａ，６１ｂはそれぞれＹ方向に直角に折れ曲がった壁部を有しており、その部分に凹部６７ａ，６７ｂが形成されている。この凹部６７ａ，６７ｂは、側面カバー５０を傾倒させた際に可動側支持板５１ａ，５１ｂと嵌合して、側面カバー５０を支える役割を担う。
【００３４】
図３に示されるように、第１係止ピン６２ａ，６２ｂをそれぞれ第１穴部５２ａ，５２ｂに挿通されるように側面カバー５０をＹ方向でスライドさせることによって、第２係止ピン５３ａ，５３ｂもまたそれぞれ第３穴部６４ａ，６４ｂに挿通されるようになっている。
【００３５】
第３穴部６４ａ，６４ｂは、第１係止ピン６２ａ，６２ｂをそれぞれ第１穴部５２ａ，５２ｂに挿通させた状態で第１係止ピン６２ａ，６２ｂ回りに側面カバー５０を回動させたときに、第２係止ピン５３ａ，５３ｂの運動軌跡に沿って第２係止ピン５３ａ，５３ｂを案内するための円弧状の形状を有している。
【００３６】
可動側支持板５１ａがネジ穴６５よりも固定側板６１ａにある状態で、図４に示されるように、ネジ穴６５にネジ６６を螺合させると、側面カバー５０をＹ方向にスライドさせることができなくなり、側面カバー５０を第１係止ピン６２ａ，６２ｂを回動軸として、安定して開閉操作することができる。
【００３７】
さて、カラー複写機１の通常使用時において、例えば、縦搬送路３７にジャムが生じた場合、前述した二次転写ローラ２６とレジストローラ３３ａを保持するカバーを開くために、側面カバー５０を開く必要が生じる。
【００３８】
図５に、例えば、このようなジャム処理のために側面カバー５０を装置本体に対して開いた状態の全体図を示す。また、図６に、図５に示した状態における固定側板６１ａと可動側支持板５１ａの状態を図４と同様にして示す。側面カバー５０を開くと、第２係止ピン５３ａ，５３ｂがそれぞれ第３穴部６４ａ，６４ｂの上側端部で係止され、また、可動側支持板５１ａ，５１ｂはそれぞれ凹部６７ａ，６７ｂと嵌合されることにより、一定の開閉角度θ以上には傾斜することができなくなっている。この開閉角度θは、例えば、４５度〜５５度とすることができる。
【００３９】
カラー複写機１をメンテナンスするために、この側面カバー５０が取り付けられている側面からカラー複写機１の内部にアクセスできるように、側面カバー５０をその開閉角度θが９０度となるように傾倒させた状態の全体図を図７に示す。また、図８に、図７に示した状態における固定側板６１ａと可動側支持板５１ａの状態を図４と同様にして示す。
【００４０】
先に図３を参照しながら説明したように、ネジ穴６５にネジ６６が螺合されていない状態では、側面カバー５０をＹ軸方向にスライドさせることによって、第１係止ピン６２ａ，６２ｂと第１穴部５２ａ，５２ｂとの係止と、第２係止ピン５３ａ，５３ｂと第３穴部６４ａ，６４ｂの係止を解除することができるので、メンテナンス作業者は、図５および図６に示した状態でネジ６６を外し、側面カバー５０を手に持った状態で側面カバー５０の装置本体１ａへの係止を一旦解除し、その後、図７，８に示されるように、第２係止ピン５３ａ，５３ｂを第２穴部６３ａ，６３ｂにそれぞれ挿通させて、これらを係止させる。その状態で側面カバー５０が水平状態となるように側面カバー５０を傾斜させると、第２係止ピン５３ａ，５３ｂを中心に側面カバー５０は回動し、可動側支持板５１ａ，５１ｂが固定側板６１ａ，６１ｂにそれぞれ設けられた凹部６７ａ，６７ｂ（図３参照）に嵌合することにより、側面カバー５０を水平姿勢で保持することができる。なお、第２係止ピン５３ａ，５３ｂが第２穴部６３ａ，６３ｂに挿通され状態で側面カバー５０を回動させる際に、可動側支持板５１ａ，５１ｂは、第１係止ピン６２ａ，６２ｂに接触しない構造となっている。
【００４１】
上述の通り、カラー複写機１に設けられた側面カバー５０の開閉機構は、ネジ６６を第１係止ピン６２ａから外し、側面カバー５０を、第１係止ピン６２ａ，６２ｂを第１穴部５２ａ，５２ｂに挿通させて係止した状態から、第２係止ピン５３ａ，５３ｂを第２穴部６３ａ，６３ｂに挿通させて係止された状態へと切り替えることによって、装置本体１ａに対して大きく開き、装置本体１ａへの側面からのアクセスを容易とすることができる。
【００４２】
図７および図８に示す状態から、図１および図４に示す状態に戻すためには、上述した手順を逆に行えばよい。すなわち、図４，６，８を参照して説明すれば、図８に示す状態から、メンテナンス作業者は、側面カバー５０を一定角度回動させ、可動側支持板５１ａ，５１ｂがそれぞれ固定側板６１ａ，６１ｂから離れるようにＹ方向にスライドさせることにより、第２係止ピン５３ａ，５３ｂと第２穴部６３ａ，６３ｂによる係止を解除する。次に、第１係止ピン６２ａ，６２ｂが第１穴部５２ａ，５２ｂに挿通され、かつ、第２係止ピン５３ａ，５３ｂが第３穴部６４ａ，６４ｂに挿通されるように、可動側支持板５１ａ，５１ｂをそれぞれ固定側板６１ａ，６１ｂに近接させて、図６の状態に保持する。そして、ネジ６６をネジ穴６５に螺合させ、その後、側面カバー５０を装置本体側に回動させる。これにより、図４の状態に戻すことができる。
【００４３】
本発明は上述した実施の形態に限定されることなく、特許請求の範囲に記載した発明の範囲内で種々の変形が可能であり、それらも本発明の範囲内に含まれるものであることは言うまでもない。
【図面の簡単な説明】
【００４４】
【図１】カラー複写機の概略正面図。
【図２】カラー複写機の概略構成図。
【図３】側面カバーとその支持部の概略構造を示す斜視図。
【図４】固定側板と可動側支持板の矢視Ａ１，Ａ２平面図。
【図５】ジャム処理時の側面カバーの開閉状態を示す正面図。
【図６】固定側板と可動側支持板の別の矢視Ａ１，Ａ２平面図。
【図７】メンテナンス処理時の側面カバーの開閉状態を示す正面図。
【図８】固定側板と可動側支持板の別の矢視Ａ１，Ａ２平面図。
【符号の説明】
【００４５】
１…カラー複写機、１ａ…装置本体、１１Ｙ・１１Ｍ・１１Ｃ・１１ＢＫ…画像形成部、１２Ｙ・１２Ｍ・１２Ｃ・１２ＢＫ…感光体ドラム、５０…側面カバー、５１ａ，５１ｂ…可動側支持板、５２ａ，５２ｂ…第１穴部、５３ａ，５３ｂ…第２係止ピン、６１ａ，６１ｂ…固定側板、６２ａ，６２ｂ…第１係止ピン、６３ａ，６３ｂ…第２穴部、６４ａ，６４ｂ…第３穴部、６５…ネジ穴、６６…ネジ、６７ａ，６７ｂ…凹部。
【図１】
2007219420.tif 000003
【図２】
2007219420.tif 000004
【図３】
2007219420.tif 000005
【図４】
2007219420.tif 000006
【図５】
2007219420.tif 000007
【図６】
2007219420.tif 000008
【図７】
2007219420.tif 000009
【図８】
2007219420.tif 000010